(57)【要約】【課題】米と水の量を精度よく計測し、最適な炊飯を可能にするとともに、構成も簡易な炊飯器を提供することを目的とするものである。【解決手段】鍋温度検知手段２５を通じて鍋２２と鍋２２の内容物の重量が板バネ２７と歪みセンサー２８からなる重量計測手段２６により計測されるもので、鍋温度検知手段２５が鍋セットに敏感に連動するため、重量計測手段２６による米と水の量の計測は精度よく行えることができ、最適な炊飯を可能にするとともに、構成も鍋温度検知手段２５の移動を利用した簡易なものとなる。【選択図】  図１
2004248803.tif 000002
【特許請求の範囲】
【請求項１】
鍋と、前記鍋を加熱する鍋加熱手段と、前記鍋の開口部を覆う蓋と、前記鍋底と接して鍋温度を検知する上下移動可能な鍋温度検知手段と、前記鍋とその内容物の重量を計測する重量計測手段とを備え、前記重量計測手段は、前記鍋セットによる鍋温度検知手段の移動により撓む板バネと、前記板バネの撓みを検出する歪みセンサーとを有する炊飯器。
【請求項２】
鍋底の中央に、鍋温度検知手段を位置決めする位置決め部材を設け、鍋を収容する保護枠には、鍋の上部外側を案内するガイドを設けた請求項１に記載の炊飯器。
【請求項３】
板バネは平面形状を略山字形状とし、その中央片の先端部を鍋温度検知手段と接触させるとともに中央片の根本部と左右片を固定し、さらに中央片の一部には応力集中部を設けた請求項１または２に記載の炊飯器。
【請求項４】
鍋と、前記鍋を加熱する鍋加熱手段と、前記鍋の開口部を覆う蓋と、前記鍋底と接して鍋温度を検知する上下移動可能な鍋温度検知手段と、前記鍋とその内容物の重量を計測する重量計測手段とを備え、前記重量計測手段は、フェライトとフェライトの周囲に位置するコイルとを有し、フェライトとコイルのいずれか一方を鍋温度検知手段に設けてコイルのインダクタンス変化により重量計測した炊飯器。
【請求項５】
鍋と、前記鍋を加熱する鍋加熱手段と、前記鍋の開口部を覆う蓋と、前記鍋底と接して鍋温度を検知する上下移動可能な鍋温度検知手段と、前記鍋とその内容物の重量を計測する重量計測手段とを備え、前記重量計測手段は、磁石と磁石近傍のホール素子とを有し、磁石とホール素子のいずれか一方を鍋温度検知手段に設けてホール素子の出力変化により重量計測した炊飯器。
【請求項６】
鍋と、前記鍋を加熱する鍋加熱手段と、前記鍋の開口部を覆う蓋と、前記鍋底と接して鍋温度を検知する上下移動可能な鍋温度検知手段と、前記鍋とその内容物の重量を計測する重量計測手段とを備え、前記重量計測手段は、鍋温度検知手段の下方に位置する一対の電極を有し、一方の電極を鍋温度検知手段に設けて電極の静電容量変化により重量計測した炊飯器。
【発明の詳細な説明】
【０００１】
【発明の属する利用分野】
本発明は、重量検知手段により米や水の重量を測定して最適な炊飯を行わせるようにした炊飯器に関するものである。
【０００２】
【従来の技術】
従来から、重量検知手段により米や水の重量を測定する炊飯器は知られている（例えば、特許文献１参照）。
【０００３】
これは、図６に示すような構成であり、使用者が３合の米を洗米して鍋１に入れ、水位は大まかに合わせておく。そして、鍋１を本体２に収納すると、鍋１とその内容物の重量が加熱手段３に加わり、加熱手段３はスプリング４を圧縮し、スプリング４の力と重量がバランスしたところで停止する。この時、電極上５、電極下６間の容量は、重量検知手段７によって検出され、マイコン８に入力される。変換手段９によって変換された表示データは、表示手段１０に送られ表示される。例えば「２．５合」と表示されると、使用者は鍋１に３合の米を入れたことを覚えているので「３．０合」と表示されるまで水を加えるものである。
【０００４】
【特許文献１】
特開平１−２０４６２３号公報
【０００５】
【発明が解決しようとする課題】
しかしながら、前記従来の炊飯器においては、鍋１と内容物の重量とともに加熱手段３の重量もスプリング４で受けているため、スプリング４としては強力なものが必要となり、微妙な重量変化に対応できず、重量検知手段７による重量検知精度が悪くなるという課題がある。また、加熱手段３をスプリング４で支持する構成は、構造的にも大掛かりなものとなるものである。
【０００６】
本発明は、前記従来の課題を解決するもので、米と水の量を精度よく計測し、最適な炊飯を可能にするとともに、構成も簡易なものとした炊飯器を提供することを目的とするものである。
【０００７】
【課題を解決するための手段】
前記目的を達成するために、本発明の炊飯器は、鍋温度を検知する鍋温度検知手段の鍋セット時の移動を利用して、重量計測手段により米と水の量を計測するようにしたものである。
【０００８】
これにより、鍋温度検知手段は鍋セットに敏感に連動するため、重量計測手段による米と水の量の計測は精度よく行えることができ、最適な炊飯を可能にするとともに、構成も鍋温度検知手段の移動を利用した簡易なものとなっている。
【０００９】
【発明の実施の形態】
請求項１に記載の発明は、鍋と、前記鍋を加熱する鍋加熱手段と、前記鍋の開口部を覆う蓋と、前記鍋底と接して鍋温度を検知する上下移動可能な鍋温度検知手段と、前記鍋とその内容物の重量を計測する重量計測手段とを備え、前記重量計測手段は、前記鍋セットによる鍋温度検知手段の移動により撓む板バネと、前記板バネの撓みを検出する歪みセンサーとを有する炊飯器とすることにより、鍋温度検知手段が鍋セットに敏感に連動するため、重量計測手段による米と水の量の計測は精度よく行えることができ、最適な炊飯を可能にするとともに、構成も鍋温度検知手段の移動を利用し、重量計測手段が板バネと歪みセンサーを有する簡易なものとなっている。
【００１０】
請求項２に記載の発明は、鍋底の中央に、鍋温度検知手段を位置決めする位置決め部材を設け、鍋を収容する保護枠には、鍋の上部外側を案内するガイドを設けた請求項１に記載の炊飯器とすることにより、鍋の底面中央は常に鍋温度検知手段が接しており、また、鍋はガイドにより常に支持されているので、鍋内において米の位置が偏っても計測値のバラツキは非常に少ない。したがって、米と水の比率を正確に合わせて、毎回、最適な炊飯が可能となる。
【００１１】
請求項３に記載の発明は、板バネは平面形状を略山字形状とし、その中央片の先端部を鍋温度検知手段と接触させるとともに中央片の根本部と左右片を固定し、さらに中央片の一部には応力集中部を設けた請求項１または２に記載の炊飯器とすることにより、板バネに掛かる応力は応力集中部に集中して、板バネの固定部に掛かる抜け力を緩和することができ、板バネと歪みセンサーを有する重量計測手段の耐久性が向上する。
【００１２】
請求項４に記載の発明は、鍋と、前記鍋を加熱する鍋加熱手段と、前記鍋の開口部を覆う蓋と、前記鍋底と接して鍋温度を検知する上下移動可能な鍋温度検知手段と、前記鍋とその内容物の重量を計測する重量計測手段とを備え、前記重量計測手段は、フェライトとフェライトの周囲に位置するコイルとを有し、フェライトとコイルのいずれか一方を鍋温度検知手段に設けてコイルのインダクタンス変化により重量計測した炊飯器とすることにより、鍋温度検知手段が鍋セットに敏感に連動するため、重量計測手段による米と水の量の計測は精度よく行えることができ、最適な炊飯を可能にするとともに、構成も鍋温度検知手段の移動を利用し、重量計測手段が非接触でフェライトとコイルを有する簡易なものとなっている。
【００１３】
請求項５に記載の発明は、鍋と、前記鍋を加熱する鍋加熱手段と、前記鍋の開口部を覆う蓋と、前記鍋底と接して鍋温度を検知する上下移動可能な鍋温度検知手段と、前記鍋とその内容物の重量を計測する重量計測手段とを備え、前記重量計測手段は、磁石と磁石近傍のホール素子とを有し、磁石とホール素子のいずれか一方を鍋温度検知手段に設けてホール素子の出力変化により重量計測した炊飯器とすることにより、鍋温度検知手段が鍋セットに敏感に連動するため、重量計測手段による米と水の量の計測は精度よく行えることができ、最適な炊飯を可能にするとともに、構成も鍋温度検知手段の移動を利用し、重量計測手段が非接触で磁石とホール素子を有する簡易なものとなっている。
【００１４】
請求項６に記載の発明は、鍋と、前記鍋を加熱する鍋加熱手段と、前記鍋の開口部を覆う蓋と、前記鍋底と接して鍋温度を検知する上下移動可能な鍋温度検知手段と、前記鍋とその内容物の重量を計測する重量計測手段とを備え、前記重量計測手段は、鍋温度検知手段の下方に位置する一対の電極を有し、一方の電極を鍋温度検知手段に設けて電極の静電容量変化により重量計測した炊飯器とすることにより、鍋温度検知手段が鍋セットに敏感に連動するため、重量計測手段による米と水の量の計測は精度よく行えることができ、最適な炊飯を可能にするとともに、構成も鍋温度検知手段の移動を利用し、重量計測手段が一対の電極を有する簡易なものとなっている。
【００１５】
【実施例】
以下、本発明の実施例について、図面を参照して説明する。
【００１６】
（実施例１）
図１、図２は本発明の実施例１における炊飯器を示すものである。
【００１７】
図に示すように、炊飯器の本体２１は、着脱自在に鍋２２を内装する。また、本体２１には、鍋２２の開口部を覆う蓋２３が開閉自在に設置されている。さらに、本体２１内には、鍋２２を加熱する鍋加熱手段２４と、鍋２２底と接して鍋温度を検知する上下移動可能な鍋温度検知手段２５と、鍋２２とその内容物の重量を計測する重量計測手段２６と、鍋２２を着脱自在に収容する保護枠３０とを備えている。
【００１８】
前記鍋温度検知手段２５は、鍋底と接する内部位置に温度検知素子を内装しており、本体２１内に固定された保護枠３０への鍋セット時に鍋底の中央部と接するものである。また、鍋温度検知手段２５は保護枠３０に対し、自由に上下移動可能なものである。
【００１９】
前記重量計測手段２６は、鍋セットによる鍋温度検知手段２５の移動により撓む板バネ２７と、前記板バネ２７の撓みを検出する歪みセンサー２８とを有する。板バネ２７は、その一端が本体２１側、すなわち保護枠３０に固定され、他端は当接部材２７ａを介して鍋温度検知手段２５の下端中央部と当接しており、鍋温度検知手段２５を鍋底側に常時付勢している。そして、板バネ２７の一部にはその撓みを検出する歪みセンサー２８が設けてある。
【００２０】
板バネ２７の詳細は、図２に示すように、平面形状を略山字形状とし、その中央片２７ｂの先端部に当接部材２７ａを設けて鍋温度検知手段２５の下端と接触させるとともに、中央片２７ｂの根本部と左右片２７ｃ、２７ｃの３箇所を固定し、さらに中央片２７ｂの根本部側の一部には切り欠きよりなる応力集中部２７ｄを設けたものである。応力集中部２７ｄの近傍位置には歪みセンサー２８が位置している。
【００２１】
また、図１に示すように、鍋２２の底の中央には、鍋温度検知手段２５の上端部を位置決めする位置決め部材２９を設け、鍋２２を収容する保護枠３０には、鍋２２の上部外側を案内する複数のガイド３１が設けてあり、鍋２２が保護枠３０に偏らずにきっちり収納されるように配慮されている。
【００２２】
なお、本体２１には制御回路３２が装備されており、鍋加熱手段２４を制御して炊飯を行うとともに、表示兼操作部３３から操作可能なものである。表示兼操作部３３には米計量スイッチ、水計量スイッチ、炊飯スイッチなど（何れも図示せず）を備えているとともに、重量計測手段２６による米量や水量表示などができるようになっている。
【００２３】
次に、上記構成において動作を説明する。
【００２４】
まず、表示兼操作部３３の米計量スイッチを押して米を鍋２２に入れると、鍋２２と鍋２２中の米重量が鍋温度検知手段２５を通じて板バネ２７と歪みセンサー２８からなる重量計測手段２６により計測され、表示兼操作部３３に米何カップと表示される。次に、水計量スイッチを押すと、米量に応じた必要な水量が表示兼操作部３３に表示される（少なめ、最適、多めと言う風に）。したがって、無洗米の場合は、水量表示が最適の位置になるまで（好みに応じた位置まで）水を入れ、炊飯スイッチを押すと、炊飯が開始される。普通の米の場合は、必要な水量が表示された後、鍋２２を取り出して洗米した後、再度鍋２２を本体２１にセットし、無洗米の場合と同様に、水量表示が最適の位置になるまで水を入れ、炊飯スイッチを押すと、炊飯が開始される。
【００２５】
以上のように、本実施例によれば、鍋温度検知手段２５が鍋セットに敏感に連動するため、重量計測手段２６による米と水の量の計測は精度よく行えることができ、最適な炊飯を可能にするとともに、構成も鍋温度検知手段２５の移動を利用し、重量計測手段２６が板バネ２７と歪みセンサー２８を有する簡易なものとなっている。したがって、現行の炊飯器をさほど変えることなく実施することができる。
【００２６】
また、鍋底の中央に、鍋温度検知手段２５を位置決めする位置決め部材２９を設け、鍋を収容する保護枠３０には、鍋の上部外側を案内するガイド３１を設けたことにより、鍋２２の底面中央は常に鍋温度検知手段２５が接しており、また、鍋２２はガイド３１により常に支持されているので、鍋内において米の位置が偏っても計測値のバラツキは非常に少ない。したがって、米と水の比率を正確に合わせて、毎回、最適な炊飯が可能となる。
【００２７】
さらに、板バネ２７は平面形状を略山字形状とし、その中央片２７ｂの先端部を鍋温度検知手段２５と接触させるとともに中央片２７ｂの根本部と左右片２７ｃ、２７ｃを固定し、さらに中央片２７ｂの一部には応力集中部２７ｄを設けたことにより、板バネ２７に掛かる応力は応力集中部２７ｄに集中して、板バネ２７の固定部に掛かる抜け力を緩和することができ、板バネ２７と歪みセンサー２８を有する重量計測手段２６の耐久性が向上する。
【００２８】
（実施例２）
次に、本発明の実施例２について、図３を参照しながら説明する。炊飯器としての基本構成は実施例１と同様であるので同一要素については同一符号を付して説明を省略し、相違点を中心に説明する。
【００２９】
図に示すように、鍋温度検知手段２５の内部にフェライト３４を設け、鍋温度検知手段２５の外周位置、すなわちフェライト３４の周囲に位置してコイル３５を設けている。鍋温度検知手段２５の下端は板バネ２７に設けた当接部材２７ａと当接している。この実施例における板バネ２７は、鍋温度検知手段２５を鍋底側に常時付勢する単なるバネとして機能しているものである。これにより、コイル３５のインダクタンス変化により重量計測を行う重量計測手段２６を構成している。
【００３０】
なお、コイル３５を鍋温度検知手段２５に、フェライト３４をコイル３５の周囲に位置して設けても良い。
【００３１】
上記構成において、鍋温度検知手段２５に鍋２２の加重が掛かると、フェライト３４とコイル３５の位置がずれて、コイル３５のインダクタンスが変化し重量変化として重量計測手段２６は読み取ることができる。これにより、実施例１と同様、鍋温度検知手段２５が鍋セットに敏感に連動するため、重量計測手段２６による米と水の量の計測は精度よく行えることができ、最適な炊飯を可能にするとともに、構成も鍋温度検知手段２５の移動を利用し、重量計測手段２６が非接触でフェライト３４とコイル３５を有する簡易なものとなっている。
【００３２】
（実施例３）
次に、本発明の実施例３について、図４を参照しながら説明する。炊飯器としての基本構成は実施例１と同様であるので同一要素については同一符号を付して説明を省略し、相違点を中心に説明する。
【００３３】
図に示すように、鍋温度検知手段２５の内部に磁石３６を設け、磁石３６近傍の定位置にはホール素子３７を設けている。鍋温度検知手段２５の下端は板バネ２７に設けた当接部材２７ａと当接している。この実施例における板バネ２７の機能は、実施例２と同様である。これにより、ホール素子３７の出力変化により重量計測を行う重量計測手段２６を構成している。
【００３４】
なお、ホール素子３７を鍋温度検知手段２５に設け、磁石３６をホール素子３７近傍の定位置に設けても良い。
【００３５】
上記構成において、鍋温度検知手段２５に鍋２２の加重が掛かると、磁石３６とホール素子３７の位置がずれて、ホール効果でホール素子３７の出力が変化し重量変化として重量計測手段２６は読み取ることができる。コイル３５のインダクタンスが変化し重量変化として読み取ることができる。これにより、実施例１と同様、鍋温度検知手段２５が鍋セットに敏感に連動するため、重量計測手段２６による米と水の量の計測は精度よく行えることができ、最適な炊飯を可能にするとともに、構成も鍋温度検知手段２５の移動を利用し、重量計測手段２６が非接触で磁石３６とホール素子３７を有する簡易なものとなっている。
【００３６】
（実施例４）
次に、本発明の実施例４について、図５を参照しながら説明する。炊飯器としての基本構成は実施例１と同様であるので同一要素については同一符号を付して説明を省略し、相違点を中心に説明する。
【００３７】
図に示すように、鍋温度検知手段２５の下方に位置して相対向した一対の電極３８、３９を設け、一方の電極３８は定位置に固定し、他方の電極３９は当接部材３９ａを鍋温度検知手段２５の下端に当接させており、鍋温度検知手段２５を鍋底側に常時付勢する板バネとしても機能しているものである。当接部材３９ａは電極３８に設けた穴を通して鍋温度検知手段２５の下端に当接しているものである。これにより、電極３８、３９の静電容量変化により重量計測を行う重量計測手段２６を構成している。
【００３８】
上記構成において、鍋温度検知手段２５に鍋２２の加重が掛かると、電極３９が撓むことで、電極３８、３９間の距離が変化し、これにより静電容量の変化を重量変化として重量計測手段２６は読み取ることができる。これにより、実施例１と同様、鍋温度検知手段２５が鍋セットに敏感に連動するため、重量計測手段２６による米と水の量の計測は精度よく行えることができ、最適な炊飯を可能にするとともに、構成も鍋温度検知手段２５の移動を利用し、重量計測手段２６が一対の電極３８、３９を有する簡易なものとなっている。
【００３９】
【発明の効果】
以上のように、本発明の炊飯器によれば、鍋温度を検知する鍋温度検知手段の鍋セット時の移動を利用して、重量計測手段により米と水の量を計測するようにしたものであり、鍋温度検知手段が鍋セットに敏感に連動するため、重量計測手段による米と水の量の計測は精度よく行えることができ、最適な炊飯を可能にするとともに、構成も鍋温度検知手段の移動を利用した簡易なものとなっている。
【図面の簡単な説明】
【図１】本発明の実施例１における炊飯器の断面図
【図２】（ａ）同炊飯器の重量計測手段を構成する板バネを一部破断して示す側面図
（ｂ）同板バネの平面図
【図３】本発明の実施例２における炊飯器の重量計測手段を示す構成図
【図４】本発明の実施例３における炊飯器の重量計測手段を示す構成図
【図５】本発明の実施例４における炊飯器の重量計測手段を示す構成図
【図６】従来の炊飯器の断面図
【符号の説明】
２１  本体
２２  鍋
２３  蓋
２４  鍋加熱手段
２５  鍋温度検知手段
２６  重量計測手段
２７  板バネ
２８  歪みセンサー
２９  位置決め部材
３１  ガイド
３４  フェライト
３５  コイル
３６  磁石
３７  ホール素子
３８、３９  電極
【図１】
2004248803.tif 000003
【図２】
2004248803.tif 000004
【図３】
2004248803.tif 000005
【図４】
2004248803.tif 000006
【図５】
2004248803.tif 000007
【図６】
2004248803.tif 000008